(57)【特許請求の範囲】
【請求項１】
音響再生装置と録音装置とが着脱自在の通信ケーブルを介して接続され、前記音響再生装置から前記通信ケーブルを経由して音響信号を前記録音装置に送信し、前記録音装置にて所定の記録媒体に記録するオーディオシステムであって、
前記録音装置は、前記録音装置が前記音響再生装置に接続されていることを示す接続信号を前記通信ケーブルを介して前記音響再生装置に供給する接続信号供給手段を備え、
前記音響再生装置は、
前記通信ケーブルが接続されるヘッドホン端子と、
スピーカが接続されるスピーカ端子と、
前記接続信号を検出する接続信号検出手段と、
前記接続信号検出手段によって接続信号が検出された場合に、前記音響信号を前記ヘッドホン端子と前記スピーカ端子との両方に出力するスピーカ接続制御手段と、
を備えることを特徴とするオーディオシステム。
【請求項２】
前記音響再生装置は、前記音響信号の出力音量を調節する音量調節手段を備え、
前記接続信号検出手段によって接続信号が検出された場合に、前記音量調節手段は、前記ヘッドホン端子と前記スピーカ端子との両方に出力される前記音響信号のうち、前記スピーカ端子に出力される前記音響信号の音量のみを調節することを特徴とする請求項１に記載のオーディオシステム。
【請求項３】
前記接続信号供給手段は、前記通信ケーブルの前記音響信号を伝送する線とは異なる信号線を用いて、前記接続信号を前記音響再生装置に供給する請求項１に記載のオーディオシステム。
【請求項４】
前記接続信号供給手段は、前記通信ケーブルの前記音響信号を伝送する線の少なくともいずれか１つを用いて、前記接続信号を前記音響再生装置に供給する請求項１に記載のオーディオシステム。
【請求項５】
ヘッドホン端子およびスピーカ端子と、
音響再生装置から通信ケーブルを介して入来する音響信号を録音すると共に、前記音響再生装置に接続していることを示す接続信号を前記通信ケーブルに出力する録音装置が、前記ヘッドホン端子に前記通信ケーブルを介して接続された際に、前記接続信号を検出する接続信号検出手段と、
前記接続信号検出手段によって前記接続信号が検出された際に、前記音響信号を前記ヘッドホン端子と前記スピーカ端子との両方に出力するスピーカ接続制御手段と、
を備える音響再生装置。
【請求項６】
前記音響信号の出力音量を調節する音量調節手段を備え、
前記接続信号検出手段によって前記接続信号が検出された場合に、前記音量調節手段は、前記ヘッドホン端子と前記スピーカ端子との両方に出力される前記音響信号のうち、前記スピーカ端子に出力される前記音響信号の音量のみを調節することを特徴とする請求項５に記載の音響再生装置。
【請求項７】
ヘッドホン端子およびスピーカ端子を有する音響再生装置と、録音装置とが通信ケーブルを介して接続され、前記音響再生装置から前記通信ケーブルを経由して前記録音装置に送信された音響信号を、前記録音装置にて所定の記録媒体に記録するオーディオシステムにおける音響再生制御方法であって、
前記ヘッドホン端子に前記録音装置が接続される場合に、
前記録音装置は、該録音装置が前記音響再生装置に接続されていることを示す接続信号を前記音響再生装置に供給するステップを備え、
前記音響再生装置は、
前記接続信号を検出するステップと、
前記接続信号を検出した場合に前記音響信号を前記ヘッドホン端子と前記スピーカ端子との両方に出力するステップと、
を備える
ことを特徴とする音響再生制御方法。
【発明の詳細な説明】
【技術分野】
【０００１】
本発明は、オーディオシステムおよび音響再生制御方法に関する。
【背景技術】
【０００２】
レコード、ＣＤ（コンパクトディスク）などの媒体に記録された音楽、ラジオ放送などから録音した音楽、またはインターネットを経由してダウンロードした音楽を、ミニディスクプレーヤ（以下、ＭＤという）またはハードディスクなどの磁気ディスク装置やフラッシュメモリなどを備えたポータブルメモリプレーヤなどに録音して、個人的にいろいろな場所で聴くことが行われている。
【０００３】
ポータブルメモリプレーヤなどの録音装置に、ＣＤプレーヤなどの音響再生装置から録音する場合、音響再生装置のヘッドホン端子に通信ケーブルを接続して、音響信号を録音装置に入力する場合がある。最近は、音響再生装置が小型になり、専用の外部出力端子（ＬＩＮＥ ＯＵＴやＡＵＸ端子）が設けられないことが多い（例えば、特許文献１参照）。また、パソコンなどでは、音響出力がヘッドホン端子しかない場合が多い。
【０００４】
通常、音響再生装置では、ヘッドホン端子にヘッドホンジャックを挿入すると、スピーカリレーが切れてしまう（例えば、特許文献２または特許文献３参照）。スピーカリレーが切れてしまうと、音響再生装置に接続されたスピーカからは音が出なくなってしまい、ポータブルメモリプレーヤなどに録音中では、録音している音響をモニタできない場合がある。また、録音中のモニタはできても、録音していないときに音響再生装置から音声が出力されない場合は、どの時点から録音を開始するか判断できない。音響再生装置のヘッドホン端子から音響信号を取り出して、別の録音機器で録音するときに、再生音をモニタすることができない場合が多い。
【特許文献１】特開２００１−３３２０７６号公報
【特許文献２】特開２００５−０４５４７７号公報
【特許文献３】特開平６−１１３３９３号公報
【発明の開示】
【発明が解決しようとする課題】
【０００５】
本発明は、上記事情に鑑みてなされたものであり、音響再生装置のヘッドホン端子から録音装置に音響信号データを出力する場合でも、再生音をモニタできるオーディオシステム、音響再生装置および音響再生制御方法を提供することを目的とする。
【課題を解決するための手段】
【０００６】
上記目的を達成するため、本発明の第１の観点に係るオーディオシステムは、
音響再生装置と録音装置とが着脱自在の通信ケーブルを介して接続され、前記音響再生装置から前記通信ケーブルを経由して音響信号を前記録音装置に送信し、前記録音装置にて所定の記録媒体に記録するオーディオシステムであって、
前記録音装置は、前記録音装置が前記音響再生装置に接続されていることを示す接続信号を前記通信ケーブルを介して前記音響再生装置に供給する接続信号供給手段を備え、
前記音響再生装置は、
前記通信ケーブルが接続されるヘッドホン端子と、
スピーカが接続されるスピーカ端子と、
前記接続信号を検出する接続信号検出手段と、
前記接続信号検出手段によって接続信号が検出された場合に、前記音響信号を前記ヘッドホン端子と前記スピーカ端子との両方に出力するスピーカ接続制御手段と、
を備えることを特徴とする。
【０００８】
好ましくは、前記音響再生装置は、前記音響信号の出力音量を調節する音量調節手段を備え、
前記接続信号検出手段によって接続信号が検出された場合に、前記音量調節手段は、前記ヘッドホン端子と前記スピーカ端子との両方に出力される前記音響信号のうち、前記スピーカ端子に出力される前記音響信号の音量のみを調節することを特徴とする。
【０００９】
さらに、前記接続信号供給手段は、前記通信ケーブルの前記音響信号を伝送する線とは異なる信号線を用いて、前記接続信号を前記音響再生装置に供給する。
【００１０】
または、前記接続信号供給手段は、前記通信ケーブルの前記音響信号を伝送する線の少なくともいずれか１つを用いて、前記接続信号を前記音響再生装置に供給する。
本発明の第２の観点に係る音響再生装置は、
ヘッドホン端子およびスピーカ端子と、
音響再生装置から通信ケーブルを介して入来する音響信号を録音すると共に、前記音響再生装置に接続していることを示す接続信号を前記通信ケーブルに出力する録音装置が、前記ヘッドホン端子に前記通信ケーブルを介して接続された際に、前記接続信号を検出する接続信号検出手段と、
前記接続信号検出手段によって前記接続信号が検出された際に、前記音響信号を前記ヘッドホン端子と前記スピーカ端子との両方に出力するスピーカ接続制御手段と、
を備える。
好ましくは、前記音響信号の出力音量を調節する音量調節手段を備え、
前記接続信号検出手段によって前記接続信号が検出された場合に、前記音量調節手段は、前記ヘッドホン端子と前記スピーカ端子との両方に出力される前記音響信号のうち、前記スピーカ端子に出力される前記音響信号の音量のみを調節することを特徴とする。
【００１１】
本発明の第３の観点に係る音響再生制御方法は、ヘッドホン端子およびスピーカ端子を有する音響再生装置と、録音装置とが通信ケーブルを介して接続され、前記音響再生装置から前記通信ケーブルを経由して前記録音装置に送信された音響信号を、前記録音装置にて所定の記録媒体に記録するオーディオシステムにおける音響再生制御方法であって、
前記ヘッドホン端子に前記録音装置が接続される場合に、
前記録音装置は、該録音装置が前記音響再生装置に接続されていることを示す接続信号を前記音響再生装置に供給するステップを備え、
前記音響再生装置は、
前記接続信号を検出するステップと、
前記接続信号を検出した場合に前記音響信号を前記ヘッドホン端子と前記スピーカ端子との両方に出力するステップと、
を備える、
ことを特徴とする。
【発明の効果】
【００１２】
本発明のオーディオシステムによれば、音響再生装置のヘッドホン端子から音響信号を録音装置に出力する場合でも、再生音をモニタすることができる。その結果、録音する音響信号を間違えることがなく、適切に録音することができる。
【発明を実施するための最良の形態】
【００１３】
（実施の形態１）
本発明に係るオーディオシステムの実施の形態１について、図１および図２により説明する。図１は、本発明の実施の形態１に係るオーディオシステム１を示すブロック図である。
【００１４】
実施の形態１に係るオーディオシステム１は、図１に示すように、音響再生装置２と録音装置３が、通信ケーブル４を介して接続される。
【００１５】
音響再生装置２は、外部入力部２１と、再生制御部２２と、接続信号受信部２３と、セレクタ２４と、ヘッドホンアンプ２５と、スピーカアンプ２６とを含んで構成される。外部入力部２１は、キースイッチまたはタッチパネルなどを備え、利用者がキースイッチなどを操作することによって、再生する楽曲の選択、選択された楽曲の音響信号の再生などの指令を再生制御部２２に伝える。また、後述するスピーカの音量調節を行う。
【００１６】
再生制御部２２は、外部入力部２１から入力された指令に従って、音響信号の再生および停止などをセレクタ２４に指令する。再生制御部２２は、後述する接続信号の有無とヘッドホンジャックが挿入されているか否かによって、音響信号をヘッドホンアンプ２５および／またはスピーカアンプ２６に出力するよう、セレクタ２４に指令する。
【００１７】
接続信号受信部２３は、通信ケーブル４を経由して送られる後述する接続信号を受信して、再生制御部２２に通知する。
【００１８】
セレクタ２４は、音響データを記録した媒体、例えばコンパクトディスク（ＣＤ）、ＤＶＤ（Digital Versatile Disc）、ミニディスク（ＭＤ）または磁気ディスク（ＨＤＤ）などと、その再生装置を含んで構成される。セレクタ２４は、再生制御部２２の指令に従って、それらの媒体に記録された音響信号を再生して、音響信号をヘッドホンアンプ２５またはスピーカアンプ２６、あるいはヘッドホンアンプ２５およびスピーカアンプ２６両方同時に出力する。セレクタ２４はまた、外部音源の音響信号を選択してスピーカまたはヘッドホンに出力する場合もある。
【００１９】
ヘッドホンアンプ２５は、セレクタ２４から入力した音響信号を、ヘッドホン（図示せず）を駆動できる電力に増幅して、ヘッドホン端子２５Ｔに出力する。そして、ヘッドホン端子２５Ｔに接続された通信ケーブル４を経由して、音響信号は録音装置３に送信される。音響再生装置２からヘッドホンで音楽を聴く場合は、ヘッドホンがヘッドホン端子２５Ｔに接続される。
【００２０】
スピーカアンプ２６は、セレクタ２４から入力した音響信号を、スピーカ（図示せず）を駆動できる電力に増幅して、スピーカ端子２６Ｔに出力する。音響再生装置２は、スピーカ（図示せず）を備える場合がある。スピーカは別体の装置で、音響再生装置２とスピーカケーブルで接続されてもよい。スピーカが音響再生装置２に内蔵される場合は、スピーカ端子２６Ｔは内蔵スピーカとスピーカアンプ２６との接続点であり、音響再生装置２の内部にある。スピーカ端子２６Ｔは図１では１つに記載しているが、ステレオ再生の場合は左右のチャネルに分けて出力される。また、サラウンド効果を実現するために多数のスピーカに音響信号を分離して出力する場合もある。
【００２１】
再生制御部２２は、例えばＣＰＵ（Central Processing Unit）、メモリおよび入出力部を備えたマイクロコンピュータで構成することができる。また、再生制御部２２、接続信号受信部２３およびセレクタ２４を併せてＤＳＰ（Digital Signal Processor）で構成することができる。
【００２２】
録音装置３は、接続信号送信部３１、録音制御部３２、符号化部３３、音響信号保存部３４および外部入力部３６を含んで構成される。
【００２３】
接続信号送信部３１は、例えば、後述するＧＮＤ７に対する一定の電圧で表される接続信号を、接続信号線６に送出する。
【００２４】
録音制御部３２は、外部入力部３６で入力された制御信号に従って、録音の開始、録音の停止、トラックマークの記録またはファイルの作成、およびフォルダの作成などを、符号化部３３および音響信号保存部３４に指令して実行する。
【００２５】
符号化部３３は、音響再生装置２から送信される音響信号を受信する。また、受信した音響信号を音響信号保存部３４に記録する形式に符号化する。音響信号がアナログのオーディオ信号で送信される場合は、符号化部３３は音響信号をＡ／Ｄ変換し、さらに符号化する。音響信号がディジタル信号で送信される場合、サンプリング周波数とビット数が録音装置３の録音データ形式に合っていればそのまま符号化して、音響信号保存部３４に記録する。サンプリング周波数またはビット数が録音装置３の録音データ形式に合っていない場合は、音響信号を記録形式のサンプリング周波数およびビット数に変換して、符号化する。そして、符号化部３３は、録音制御部３２の指令に従って、符号化したデータの音響信号保存部３４への記録、トラックマークの記録またはファイルの作成などを行う。音響再生装置２のヘッドホン端子２５Ｔから通信される音響信号は、通常、アナログのオーディオ信号である。
【００２６】
音響信号保存部３４は、ＨＤＤ、フラッシュメモリまたはＭＤなどの記録媒体と、それらの記録媒体にデータを書き込む駆動装置を含んで構成される。音響信号保存部３４は、符号化部３３で符号化された音響信号を、ファイルまたはトラックのデータとして、記録媒体の記録形式に従って記録する。
【００２７】
外部入力部３６は、キースイッチまたはタッチパネルなどを備え、利用者がキースイッチなどを操作することによって、録音の開始、録音の停止、トラックマークの記録またはファイルの作成などの指令を録音制御部３２に伝える。
【００２８】
録音制御部３２は、例えばＣＰＵ（Central Processing Unit）、メモリおよび入出力部を備えたマイクロコンピュータで構成することができる。また、録音制御部３２、接続信号送信部３１および符号化部３３を併せてＤＳＰ（Digital Signal Processor）で構成することができる。
【００２９】
通信ケーブル４は、音響信号線５Ｌ、５Ｒと、接続信号線６と、ＧＮＤ７を含んで１本のケーブルとして構成される。音響信号線５Ｌ、５Ｒはそれぞれ左チャネルの音響信号および右チャネルの音響信号を伝達する。接続信号線６は、接続信号送信部３１と接続信号受信部２３に接続し、例えば直流レベルに変換された接続信号を伝達する。ＧＮＤ７は、音響再生装置２から録音装置３に送信される信号（音響信号および接続信号）の電位の基準を定める。通信ケーブル４は、音響再生装置２および録音装置３にそれぞれ、ピンプラグまたはピンジャックとソケット、あるいはコネクタなどで着脱自在に接続される。
【００３０】
本実施の形態の例では、接続信号は、接続信号線６のＧＮＤ７に対する電位で表される。ヘッドホン端子２５Ｔにヘッドホンが接続された場合は、ヘッドホンを接続するケーブルに接続信号線６がなく、開放された状態になり、接続信号がないと判断される。
【００３１】
本実施の形態の例では、接続信号を例えばＧＮＤ７に対する正の電圧レベルとする。しかし、接続信号は正の直流電圧に限定されない。例えば、接続信号を負の電圧としてもよいし、また交流電圧としてもよい。
【００３２】
接続信号は、通信ケーブル４が抜けた状態と区別できれば、制御信号線６の電位レベルでなくてもよい。例えば、ある周波数または複数の周波数の組み合わせのトーン信号を用いることができる。あるいは、録音装置３側で制御信号線６とＧＮＤ７を抵抗を介して接続し、制御信号線６とＧＮＤ７のループ回路が形成されることを接続信号としてもよい。ループ回路が形成されることは、音響再生装置２側で電流が流れることで検出することができる。
【００３３】
次に、実施の形態１に係るオーディオシステム１の動作について説明する。図２は、実施の形態１に係るオーディオシステム１の動作の一例を示すフローチャートである。図２の左側、録音制御は録音装置３の動作を示す。図３の右側、再生制御は音響再生装置２の動作を示す。
【００３４】
録音制御部３２は、録音装置３の電源が投入されたときから、または通信ケーブル４が接続されたのを検知して、接続信号を接続信号送信部３１から通信ケーブル４の接続信号線６に送出する（ステップＲ１）。そして、外部入力部３６から入力されたユーザの操作に従って、録音処理を行う（ステップＲ２）。
【００３５】
一方、音響再生装置２では、再生制御部２２は、通信ケーブル４がヘッドホン端子２５Ｔに接続されていることを検知する（ステップＰ１）。例えば、ヘッドホン端子２５Tに備えられたスイッチ（図示せず）が通信ケーブルのジャックで作動することによって、通信ケーブル４（またはヘッドホンのケーブル）が接続されたことを検出できる。通信ケーブル４またはヘッドホンケーブルがヘッドホン端子２５Ｔに接続されている場合は（ステップＰ２；Ｙｅｓ）、接続信号があるか否かを検出する（ステップＰ３）。
【００３６】
接続信号が接続信号受信部２３で検出されず、再生制御部２２に接続信号なしが通知された場合は（ステップＰ４；Ｎｏ）、再生制御部２２は、セレクタ２４に音響信号をヘッドホンアンプ２５に出力し、スピーカアンプ２６には出力しないように指令する（ステップＰ５）。その結果、音響信号はスピーカ端子２６Ｔには出力されず、スピーカからは音楽が再生されない。音響信号はヘッドホン端子２５Ｔに出力され、ヘッドホンで音楽を聴くことができる。
【００３７】
接続信号が接続信号受信部２３で検出され、再生制御部２２に接続信号ありが通知された場合は（ステップＰ４；Ｙｅｓ）、再生制御部２２は、セレクタ２４に音響信号をヘッドホンアンプ２５とスピーカアンプ２６の両方に出力するよう指令する（ステップＰ６）。音響信号はヘッドホン端子２５Ｔおよびスピーカ端子２６Ｔの両方に出力される。その結果、スピーカで音楽を聴きながら、その音響信号を録音装置３で録音することができる。
【００３８】
また、ヘッドホン端子２５Ｔに通信ケーブル４もヘッドホンも接続されていない場合は（ステップＰ２；Ｎｏ）、再生制御部２２は、セレクタ２４に音響信号をスピーカアンプ２６に出力し、ヘッドホンアンプ２５には出力しないように指令する（ステップＰ７）。音響信号はスピーカ端子２６Ｔに出力され、スピーカで再生される音楽を聴くことができる。
【００３９】
ここで、ステップＰ７はステップＰ６と同じ動作であってもよい。すなわち、ヘッドホン端子２５Ｔに通信ケーブルまたはヘッドホンが接続されていない場合でも、ヘッドホンアンプ２５に音響信号を出力してもよい。単に、ヘッドホン端子２５Ｔの出力が使用されないだけである。
【００４０】
ヘッドホンアンプ２５とスピーカアンプ２６が１つの回路である場合、またはヘッドホンアンプ２５とスピーカアンプ２６が最終出力段のみが異なる場合などに、スピーカ端子２６Ｔへの出力をリレー（スピーカリレー）でオン／オフすることによって、同様の作用を行うことができる。すなわち、ステップＰ５では、スピーカリレーをオフにして、音響信号がスピーカ端子２６Ｔに出力されないようにする。ステップＰ６（およびステップＰ７）では、スピーカリレーをオンにして、音響信号がスピーカ端子２６Ｔに出力されるようにする。
【００４１】
以上述べたように、本発明のオーディオシステム１によれば、音響再生装置２のヘッドホン端子２５Ｔから音響信号を録音装置３にダビングする場合でも、再生音をモニタすることができる。その結果、録音する音響信号を間違えることがなく、適切に録音することができる。
【００４２】
（実施の形態２）
次に、ヘッドホンアンプ２５およびスピーカアンプ２６にそれぞれ音量調節部２５Ｖおよび２６Ｖが備えられる場合について、図３を参照して説明する。図３に示すように、音響再生装置２のヘッドホンアンプ２５に音量調節部２５Ｖが、スピーカアンプ２６に音量調節部２６Ｖが備えられる。音量調節部２５Ｖ、２６Ｖは、例えばアンプのゲインを指令電圧で変化させることによって、それぞれの音量を調節することができる。音量調節は、外部入力部２１のスイッチを操作することによって行われる。
【００４３】
ヘッドホン端子２５Tに通信ケーブル４もヘッドホンも接続されていない場合（図２のステップＰ２；Ｎｏ）、再生制御部２２は、音量調節の操作によって、スピーカ端子２６Tに出力される音響信号の音量が調節されるようセレクタ２４に指令する（ステップＰ７）。同時に、ヘッドホン端子２５Ｔに出力される音響信号の音量が調節されてもよい。その結果、スピーカから再生される音楽はユーザの操作によって調節される。
【００４４】
ヘッドホン端子２５Tにヘッドホンが接続され（図２のステップＰ２；Ｙｅｓ）、接続信号が検出されない場合は（図２のステップＰ４；Ｎｏ）、再生制御部２２は、音量調節の操作によって、ヘッドホン端子２５Ｔに出力される音響信号の音量が調節されるようセレクタ２４に指令する（ステップＰ５）。その結果、ヘッドホンから再生される音楽はユーザの操作によって調節される。
【００４５】
ヘッドホン端子２５Tに通信ケーブル４が接続され（図２のステップＰ２；Ｙｅｓ）、接続信号が検出される場合は（図２のステップＰ４；Ｙｅｓ）、再生制御部２２は、音量調節の操作によって、スピーカ端子２６Tに出力される音響信号の音量が調節されるが、ヘッドホン端子２５Ｔに出力される音響信号の音量が変更されないようにセレクタ２４に指令する。ヘッドホンアンプ２５の増幅度は、録音に最適な標準レベルに固定される。スピーカから再生されるモニタ音は、ユーザの操作によって調節されるが、録音レベルは変動しない。その結果、モニタ音がユーザの好みに合わせて調節されても、録音レベルが一定に保たれて均質な録音を得ることができる。
【００４６】
（実施の形態３）
次に、録音制御信号を音響信号に重畳して送信する場合の実施の形態３について、図４および図５を参照して説明する。
【００４７】
図４は、実施の形態３に係るオーディオシステム１の構成の例を示すブロック図である。図４に示すオーディオシステム１は、図１の構成に比較して、通信ケーブル４に制御信号線６がない。その代わり、音響再生装置２には信号分離部２７が設けられ、録音装置３には信号重畳部３５が設けられている。
【００４８】
録音装置３では、接続信号送信部３１から送信される信号は、信号重畳部３５で音響信号の１つに重畳される。図４の例では、右チャネルの音響信号線５Ｒに接続信号が重畳されて送信される。音響再生装置２では、接続信号は信号分離部２７で音響信号から分離されて接続信号受信部２３に入力される。
【００４９】
音響信号がアナログのオーディオ信号の場合、可聴帯域の下限は十数Ｈｚであって、それ以下の周波数成分はないから、直流成分の接続信号を重畳しても音響信号に影響はない。また、信号分離部２７では、直流成分を分離して接続信号として取り出すことができる。
【００５０】
音響信号がディジタル信号で送信される場合でも、例えばＡＭＩ（Alternative Mark Inversion）符号のように直流成分のない符号を用いて、直流成分の接続信号を重畳することができる。
【００５１】
図５は、実施の形態３に係るオーディオシステム１の接続信号の例を示す図である。図５では、接続信号Ｃに音響信号Ａが重畳されている様子を模式的に表している。音響信号Ａが接続信号Ｃなどに重畳されても分離することは可能であり、音響信号Ａと接続信号Ｃは独立である。
【００５２】
実施の形態３は、録音制御信号が音響信号に重畳されていることが異なるだけで、動作については、実施の形態１または実施の形態２と同様である。
【００５３】
実施の形態３では、音響信号に重畳して録音制御信号を送信するので、通信ケーブル４の心線が少なくてすむ。例えば、現在市販されている通常のステレオ用ケーブルの構成を用いることができる。
【００５４】
また、図４のオーディオシステム１の構成では、接続信号を右チャネルの音響信号線５Ｒに重畳しているが、接続信号を左チャネルの音響信号線５Ｌに重畳してもよい。
【００５５】
その他、前記のハードウエア構成やフローチャートは一例であり、任意に変更及び修正が可能である。
【００５６】
オーディオシステム１は、専用のシステムによらず、通常のコンピュータシステムを用いて実現可能である。例えば、前記の動作を実行するためのコンピュータプログラムを、コンピュータが読みとり可能な記録媒体（フレキシブルディスク、CD-ROM、DVD-ROM等）に格納して配布し、当該コンピュータプログラムをコンピュータにインストールすることにより、前記の処理を実行する音響再生装置２を構成してもよい。また、インターネット等の通信ネットワーク上のサーバ装置が有する記憶装置に当該コンピュータプログラムを格納しておき、通常のコンピュータシステムがダウンロード等することで本発明のオーディオシステム１を構成してもよい。
【００５７】
また、前記の各機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００５８】
また、搬送波に上述のコンピュータプログラムを重畳し、通信ネットワークを介して配信することも可能である。
【図面の簡単な説明】
【００５９】
【図１】本発明の実施の形態１に係るオーディオシステムの構成の例を示すブロック図である。
【図２】本発明の実施の形態１に係るオーディオシステム動作の一例を示すフローチャートである。
【図３】本発明の実施の形態２に係るオーディオシステムの構成の例を示すブロック図である。
【図４】本発明の実施の形態３に係るオーディオシステムの構成の例を示すブロック図である。
【図５】本発明の実施の形態３に係るオーディオシステムの接続信号の例を示す図である。
【符号の説明】
【００６０】
１  オーディオシステム
２  音響再生装置
３  録音装置
４  通信ケーブル
５Ｌ、５Ｒ  音響信号線
６  接続信号線
７  ＧＮＤ
２１  外部入力部
２２  再生制御部
２３  接続信号受信部
２４  セレクタ
２５  ヘッドホンアンプ
２５Ｖ  音量調節部
２５Ｔ  ヘッドホン端子
２６  スピーカアンプ
２６Ｖ  音量調節部
２６Ｔ  スピーカ端子
２７  信号分離部
３１  接続信号送信部
３２  録音制御部
３３  符号化部
３４  音響信号保存部
３５  信号重畳部
３６  外部入力部
Ｃ  接続信号
【図１】
0004736712.tif 000002
【図２】
0004736712.tif 000003
【図３】
0004736712.tif 000004
【図４】
0004736712.tif 000005
【図５】
0004736712.tif 000006